(57)【要約】【課題】本発明は、機密文書の古紙を、機密を保持しつつ、効率良く回収することができる古紙運搬用車両を提供する。【解決手段】古紙運搬用自動車１には、処理液の入った古紙処理用液槽３が積載されている。該古紙処理用液槽３は、古紙解繊部２に属し、古紙投入口４から投入された前記古紙ａを、渦流によって解繊する。解繊された古紙ａは、中間処理物生成部６で脱水及び／又は圧縮されてインゴットペーパーｂとされ、該インゴットペーパーｂは、中間処理物取り出し口７から取り出することができる。【選択図】  図１
2010047176.tif 000002
【特許請求の範囲】
【請求項１】
機密文書の古紙を運搬する車両であって、
該車両には、処理液の入った古紙処理用液槽が積載されており、
該古紙処理用液槽に設けられた古紙投入口から投入された前記古紙が、該車両走行中に、該古紙処理用液槽内に形成された前記処理液によって解繊されることを特徴とする古紙運搬用車両。
【請求項２】
前記古紙は、不織布で作製された古紙入れ用袋内に入れられて前記古紙処理用液槽内に投入される請求項１記載の古紙運搬用車両。
【請求項３】
前記古紙処理用液槽を具備し、前記古紙を解繊する古紙解繊部と、
前記古紙解繊部で解繊された古紙を脱水及び／又は圧縮して、インゴット状の中間処理物を生成する中間処理物生成部と
を備えた請求項１又は請求項２記載の古紙運搬用車両。
【請求項４】
請求項３記載の古紙運搬用車両を用いた古紙の回収処理方法であって、
所定の古紙回収位置で古紙を回収し、該古紙回収位置で前記古紙を前記古紙運搬用車両の古紙処理用液槽に投入し、
さらに、該古紙回収位置から、該古紙回収位置とは別の位置である中間処理物排出位置まで前記古紙運搬用車両を移動させると共に、該移動時間中に、前記古紙処理用液槽内の古紙を前記古紙解繊部で解繊し、かつ前記中間処理物生成部で前記中間処理物を生成し、
移動先である前記中間処理物排出位置で、前記中間処理物生成部で生成した中間処理物を、該古紙運搬用車両から排出することを特徴とする古紙の回収処理方法。
【発明の詳細な説明】
【技術分野】
【０００１】
本発明は、機密文書の古紙回収に関するものである。
【背景技術】
【０００２】
官庁や事務所などでは、機密文書の古紙が毎日大量に発生している。従来、このような古紙を、機密を保持しつつ廃棄処理する手段として、古紙を裁断するシュレッダーや、該古紙を水溶液に浸漬し、かつ攪拌して、該古紙を解繊する構成が提案されている（例えば、特許文献１，２，３参照）。
【０００３】
【特許文献１】特開平７−１８５５１１号公報
【特許文献２】特開平７−１５５７３０号公報
【特許文献３】特開平５−２００３７７号公報
【発明の開示】
【発明が解決しようとする課題】
【０００４】
しかしながら、市販品のシュレッダーは、手軽なため広く普及しているものの、裁断に非常に時間がかかる問題がある。また、裁断後の廃紙は、繊維の切断により再生紙の原料になりにくい、さらに非常に嵩高くなる、などの問題を有していた。また、機密文書を裁断して得られた廃紙は、頻繁に処理するものでなく、ある一定期間を経て一括処理されるため、その間保管スペースを要する。これにより、裁断後の廃紙の保管や運搬に、面倒な作業や無駄なコストを要することになっていた。
さらには、機密文書を取り扱う関係上、古紙をシュレッダーに投入する作業は、重要ポストに就いた管理職がやっている場合があり、多大な労力と人件費を要する一方で、該管理職がやるべき本来の業務の効率を著しく低下させているという深刻な問題もあった。
【０００５】
これに対し、特許文献１〜３に開示されている構成は、迅速かつ大量に古紙を処理することができ、再生紙の原料になりやすく、また嵩高い廃紙が出ることもない。また、印字用のインクも溶解するため、機密保持の観点からも優れている。しかし、大量の古紙を解繊させるべく、処理液が入った大型の液槽を設けると、全体として装置が大型化してしまい、一般的な事務所の室内には設置しにくいという問題があった。このため、上述のシュレッダーに比べて、かかる構成は広く普及するには至っていない。
なお、機密文書の古紙を、解繊処理可能な事業所まで搬送し、該事業所で大規模に上記の解繊処理を行うことも提案されうるが、その事業所までの搬送中に機密文書が漏洩する可能性があり、官庁等は機密文書を預けにくい問題がある。また、解繊処理を主体とする手軽な商品が仮に開発されたとしても、機密文書を当該商品の液槽に投入する作業は、結局、重要ポストに就いた管理職がやることになり、業務の効率を低下させる問題については、依然解決されない。また、古紙解繊後、該古紙をインゴットペーパーにしてコンパクト化したとしても、該インゴットペーパーを一定期間保管するスペースが事務所内に必要となる。
【課題を解決するための手段】
【０００６】
本発明は、上記課題を解決するためになされたものであり、その要旨は、機密文書の古紙を運搬する車両であって、該車両には、処理液の入った古紙処理用液槽が積載されており、該古紙処理用液槽に設けられた古紙投入口から投入された前記古紙が、該車両走行中に、該古紙処理用液槽内に形成された前記処理液によって解繊されることを特徴とする古紙運搬用車両である。
【０００７】
前記古紙は、不織布で作製された古紙入れ用袋内に入れられて前記古紙処理用液槽内に投入されてもよい。
【０００８】
また、前記古紙処理用液槽を具備し、前記古紙を解繊する古紙解繊部と、前記古紙解繊部で解繊された古紙を脱水及び／又は圧縮して、インゴット状の中間処理物を生成する中間処理物生成部とを備えた構成としてもよい。
【０００９】
また、上記の古紙運搬用車両を用いた古紙の回収処理方法であって、所定の古紙回収位置で古紙を回収し、該古紙回収位置で前記古紙を前記古紙運搬用車両の古紙処理用液槽に投入し、さらに、該古紙回収位置から、該古紙回収位置とは別の位置である中間処理物排出位置まで前記古紙運搬用車両を移動させると共に、該移動時間中に、前記古紙を前記古紙解繊部で解繊し、かつ前記中間処理物生成部で前記中間処理物を生成し、移動先である前記中間処理物排出位置で、前記中間処理物生成部で生成した中間処理物を、該古紙運搬用車両から排出することを特徴とする古紙の回収処理方法が提案される。
【００１０】
上記構成とすることにより、繊維が切断されていない状態で古紙を回収できるため、リサイクルが確実に可能となる。さらに、処理装置を一般的な事務所用に手軽でコンパクトに設計する必要がないため、大型の古紙処理用液槽を設定し、古紙を大量に一括処理することが可能となる。これにより、官庁や事務所などにおいて、古紙の廃棄処理（例えば、裁断作業）にかかっていた多大な労力と人件費を大幅に削減することができる。また、古紙処理用液槽内に古紙を投入した時点ですぐに溶解・解繊が開始されるため、機密漏洩の心配がない。また、古紙が発生する事務所の室内に、裁断された廃紙やインゴットペーパー等を保管する必要がないため、該事務所内のスペースを有効利用することができる。
【００１１】
なお、前記中間処理物を生成するまでに、解繊された古紙を一旦ペースト状の中間物としてもよい。また、前記古紙処理用液槽内に回転羽根を軸設し、該回転羽根を回転させて該古紙処理用液槽内に渦流を形成するようにしてもよい。ここで、前記車両を自動車とし、該回転羽根の駆動源を、自動車の駆動源と共通させてもよい。また、前記古紙処理用液槽は、荷台付き車両の、該荷台に積載してもよい。また、処理液は水だけもよいし、所定成分の溶液でもよい。
【発明の効果】
【００１２】
本発明は、機密文書の古紙を、機密を保持しつつ、効率良く回収することができる優れた効果がある。
【発明を実施するための最良の形態】
【００１３】
〔古紙運搬用車両〕
古紙運搬用車両としては、荷台付き自動車を採用した構成が好ましい。該古紙運搬用自動車１の荷台には、古紙解繊部２と、中間処理物生成部６とが搭載されている。
【００１４】
前記古紙解繊部２は、古紙処理用液槽（パルパー）３を主体とし、回収対象の古紙ａを解繊する機能を有している。更に詳述すると、該古紙処理用液槽３は、古紙運搬用自動車１の荷台に積載されており、その中には、古紙ａを解繊するための処理液（例えば水）が蓄えられている。また、該古紙処理用液槽３の上部には、古紙ａを槽内に投入するための古紙投入口４が配設されている。また、前記古紙処理用液槽３の内底には、回転羽根５が軸支されており、該回転羽根５が回動することにより、該古紙処理用液槽３内に処理液の渦流が形成される。
【００１５】
かかる構成にあって、古紙ａが前記古紙投入口４から前記古紙処理用液槽３内に投入されると、該古紙ａは処理液に浸漬し、かつ該処理液の渦流により解繊されることとなる。
【００１６】
また、前記古紙解繊部２に隣接して、中間処理物生成部６が配置されている。
該中間処理生成部６は、公知の、脱水手段および圧縮手段を主体とし、前記古紙解繊部２で解繊された古紙ａからインゴットペーパーｂ（インゴット状の中間処理物）を生成する機能を有している。具体的には、公知のスクリューコンベアや公知のプレス機等を用いて古紙解繊部２内の解繊された古紙ａを採集し、ペースト状の中間物を生成すると共に、該ペースト状の中間物を脱水及び／又は圧縮して、インゴットペーパーｂを生成する。そして、該インゴットペーパーｂは、該中間処理生成部６に配設された中間処理物取り出し口７から排出することができる。
【００１７】
再度、本発明に係る古紙運搬用自動車１の機能を説明する。
古紙ａが前記古紙投入口４から前記古紙処理用液槽３内に投入されると、該古紙ａは前記古紙解繊部２で解繊され、さらに、前記中間処理物生成部６で脱水及び／又は圧縮されて、コンパクトなインゴットペーパーｂとされる。そして、前記中処理物取り出し口７から排出される。
勿論、該古紙運搬用自動車１は、通常の自動車と同様に、自走して移動することができる。
【００１８】
〔古紙の回収処理方法〕
前記古紙運搬用自動車で、機密文書が出る各事業所（依頼者）に出張する。なお、機密文書が出る各事業所の位置が、本発明に係る古紙回収位置に相当する。
【００１９】
そして、各事業所で古紙を受け取り（回収）、直ぐに古紙運搬用自動車の古紙処理用液槽内に、該古紙を投入する。このとき、古紙の投入は、その事業所の社員が自ら投入してもよいし、古紙回収を業務とする古紙回収業者の社員（例えば運転手・補助者）が投入してもよい。いずれの場合にあっても、機密文書が出たその事業所で古紙投入作業を行うため、機密漏洩の問題が生じない。
【００２０】
古紙が投入されると、該古紙運搬用自動車は、次に、製紙会社に移動開始する。これと共に、製紙会社までの移動時間内に、古紙処理用液槽内の古紙を解繊すると共に、インゴット状の中間処理物（例えば、インゴットペーパー）を生成する。なお、前記製紙会社が、本発明に係る中間処理物排出位置に相当する。
【００２１】
該古紙運搬用自動車が、製紙会社に到着すると、生成した中間処理物を当該自動車から排出し、該中間処理物を製紙会社に紙原料として提供（売却）する。そして、該製紙会社は、中間処理物をリサイクルする。
【産業上の利用可能性】
【００２２】
本発明は、古紙を運搬する車両であり、産業上利用可能である。
【図面の簡単な説明】
【００２３】
【図１】古紙運搬用自動車の概要図である。
【符号の説明】
【００２４】
１  古紙運搬用自動車（古紙運搬用車両）
２  古紙解繊部
３  古紙処理用液槽
４  古紙投入口
６  中間処理物生成部
ａ  古紙
ｂ  インゴットペーパー（中間処理物）
【図１】
2010047176.tif 000003